【手続補正書】
【提出日】平成21年5月21日(2009.5.21)
【手続補正１】
【補正対象書類名】明細書
【補正対象項目名】発明の名称
【補正方法】変更
【補正の内容】
【発明の名称】情報処理システム
【手続補正２】
【補正対象書類名】特許請求の範囲
【補正対象項目名】全文
【補正方法】変更
【補正の内容】
【特許請求の範囲】
【請求項１】
周辺機器と情報処理装置とを有する情報処理システムであって、
前記周辺機器は、
デジタル放送情報を受信するデジタル放送チューナと、
受信した前記デジタル放送情報の映像情報を前記情報処理装置に送信する送信手段と、
前記周辺機器を識別する周辺機器識別情報を記憶する記憶手段と、
を有し、
前記情報処理装置は、
前記情報処理装置に接続される前記周辺機器の前記周辺機器識別情報を記憶する周辺機器識別情報保持手段と、
前記周辺機器から前記周辺機器識別情報を受信する受信手段と、
受信した前記周辺機器識別情報が、前記周辺機器識別情報保持手段に記憶されている前記周辺機器識別情報と一致する場合に、前記周辺機器の前記送信手段から受信した前記映像情報を出力する出力手段と、
を有する
ことを特徴とする情報処理システム。
【請求項２】
請求項１に記載の情報処理システムであって、
前記周辺機器は、
前記デジタル放送チューナにより受信された前記デジタル放送情報のスクランブルを解除するスクランブル解除手段を有する
ことを特徴とする情報処理システム。
【請求項３】
請求項２に記載の情報処理システムであって、
前記スクランブル解除手段は、ＣＡＳカード（限定受信システム用カード）を用いてスクランブルを解除する
ことを特徴とする情報処理システム。
【請求項４】
請求項１〜３のいずれか１項に記載の情報処理システムであって、
前記周辺機器は
前記情報処理装置を識別する情報処理装置識別情報を記憶する情報処理装置識別情報保持手段
を有し、
前記情報処理装置の前記出力手段は、
前記情報処理装置の前記情報処理装置識別情報が、前記周辺機器の前記情報処理装置識別情報保持手段に記憶されている前記情報処理装置識別情報と一致する場合に、前記周辺機器の前記送信手段から受信した前記映像情報を出力する
ことを特徴とする情報処理システム。
【請求項５】
請求項１〜３のいずれか１項に記載の情報処理システムであって、
前記周辺機器は
前記情報処理装置を識別する情報処理装置識別情報を記憶する情報処理装置識別情報保持手段
を有し、
前記周辺機器の前記送信手段は、前記情報処理装置から受信した前記情報処理装置識別情報が、前記情報処理装置識別情報保持手段に記憶されている前記情報処理装置識別情報と一致しない場合に、前記映像情報の送信を行わない
ことを特徴とする情報処理システム。
【請求項６】
請求項１〜５のいずれか１項に記載の情報処理システムであって、
前記情報処理装置の前記出力手段は、デジタル放送受信用ソフトウェアを実行することにより実現されるものであり、
前記デジタル放送用ソフトウェアが前記情報処理装置から削除された場合に、前記周辺機器識別情報保持手段に記憶された前記周辺機器識別情報を削除する
ことを特徴とする情報処理システム。
【請求項７】
請求項４または５に記載の情報処理システムであって、
前記情報処理装置の前記出力手段は、デジタル放送受信用ソフトウェアを実行することにより実現されるものであり、
前記デジタル放送用ソフトウェアが前記情報処理装置から削除された場合に、前記情報処理装置識別情報保持手段に記憶された前記情報処理装置識別情報を削除する
ことを特徴とする情報処理システム。
【請求項８】
周辺機器と接続可能な情報処理装置であって、
デジタル放送情報を受信するデジタル放送チューナと、受信した前記デジタル放送情報の映像情報を前記情報処理装置に送信する送信手段と、前記周辺機器を識別する周辺機器識別情報を記憶する記憶手段と、を有する前記周辺機器と接続する接続手段と、
前記情報処理装置に接続される前記周辺機器の前記周辺機器識別情報を記憶する周辺機器識別情報保持手段と、
前記周辺機器から前記周辺機器識別情報を受信する受信手段と、
受信した前記周辺機器識別情報が、前記周辺機器識別情報保持手段に記憶されている前記周辺機器識別情報と一致する場合に、前記周辺機器の前記送信手段から受信した前記映像情報を出力する出力手段と、
を有する
ことを特徴とする情報処理装置。
【請求項９】
請求項８に記載の情報処理装置であって、
前記周辺機器は、
前記デジタル放送チューナにより受信された前記デジタル放送情報のスクランブルを解除するスクランブル解除手段を有する
ことを特徴とする情報処理装置。
【請求項１０】
請求項９に記載の情報処理装置であって、
前記スクランブル解除手段は、ＣＡＳカード（限定受信システム用カード）を用いてスクランブルを解除する
ことを特徴とする情報処理装置。
【請求項１１】
請求項８〜１０のいずれか１項に記載の情報処理装置であって、
前記周辺機器は
前記情報処理装置を識別する情報処理装置識別情報を記憶する情報処理装置識別情報保持手段
を有し、
前記情報処理装置の前記出力手段は、
前記情報処理装置の前記情報処理装置識別情報が、前記周辺機器の前記情報処理装置識別情報保持手段に記憶されている前記情報処理装置識別情報と一致する場合に、前記周辺機器の前記送信手段から受信した前記映像情報を出力する
ことを特徴とする情報処理装置。
【請求項１２】
請求項８〜１０のいずれか１項に記載の情報処理装置であって、
前記周辺機器は
前記情報処理装置を識別する情報処理装置識別情報を記憶する情報処理装置識別情報保持手段
を有し、
前記周辺機器の前記送信手段は、前記情報処理装置から受信した前記情報処理装置識別情報が、前記情報処理装置識別情報保持手段に記憶されている前記情報処理装置識別情報と一致しない場合に、前記映像情報の送信を行わない
ことを特徴とする情報処理装置。
【請求項１３】
請求項８〜１２のいずれか１項に記載の情報処理装置であって、
前記情報処理装置の前記出力手段は、デジタル放送受信用ソフトウェアを実行することにより実現されるものであり、
前記デジタル放送用ソフトウェアが前記情報処理装置から削除された場合に、前記周辺機器識別情報保持手段に記憶された前記周辺機器識別情報を削除する
ことを特徴とする情報処理装置。
【請求項１４】
請求項１１または１２に記載の情報処理装置であって、
前記情報処理装置の前記出力手段は、デジタル放送受信用ソフトウェアを実行することにより実現されるものであり、
前記デジタル放送用ソフトウェアが前記情報処理装置から削除された場合に、前記情報処理装置識別情報保持手段に記憶された前記情報処理装置識別情報を削除する
ことを特徴とする情報処理装置。
【請求項１５】
情報処理装置と接続可能な周辺機器であって、
デジタル放送情報を受信するデジタル放送チューナと、
受信した前記デジタル放送情報の映像情報を前記情報処理装置に送信する送信手段と、
前記周辺機器を識別する周辺機器識別情報を記憶する記憶手段と、
前記情報処理装置に接続される前記周辺機器の前記周辺機器識別情報を記憶する周辺機器識別情報保持手段と、前記周辺機器から前記周辺機器識別情報を受信する受信手段と、受信した前記周辺機器識別情報が、前記周辺機器識別情報保持手段に記憶されている前記周辺機器識別情報と一致する場合に、前記周辺機器の前記送信手段から受信した前記映像情報を出力する出力手段と、を有する前記情報処理装置と接続する接続手段と、
を有する
ことを特徴とする周辺機器。
【請求項１６】
請求項１５に記載の周辺機器であって、
前記デジタル放送チューナにより受信された前記デジタル放送情報のスクランブルを解除するスクランブル解除手段を有する
ことを特徴とする周辺機器。
【請求項１７】
請求項１５に記載の周辺機器であって、
前記スクランブル解除手段は、ＣＡＳカード（限定受信システム用カード）を用いてスクランブルを解除する
ことを特徴とする周辺機器。
【請求項１８】
請求項１５〜１７のいずれか１項に記載の周辺機器であって、
前記情報処理装置を識別する情報処理装置識別情報を記憶する情報処理装置識別情報保持手段
を有し、
前記情報処理装置の前記出力手段は、
前記情報処理装置の前記情報処理装置識別情報が、前記周辺機器の前記情報処理装置識別情報保持手段に記憶されている前記情報処理装置識別情報と一致する場合に、前記周辺機器の前記送信手段から受信した前記映像情報を出力する
ことを特徴とする周辺機器。
【請求項１９】
請求項１５〜１７のいずれか１項に記載の周辺機器であって、
前記情報処理装置を識別する情報処理装置識別情報を記憶する情報処理装置識別情報保持手段
を有し、
前記送信手段は、前記情報処理装置から受信した前記情報処理装置識別情報が、前記情報処理装置識別情報保持手段に記憶されている前記情報処理装置識別情報と一致しない場合に、前記映像情報の送信を行わない
ことを特徴とする周辺機器。
【請求項２０】
請求項１５〜１９のいずれか１項に記載の周辺機器であって、
前記情報処理装置の前記出力手段は、デジタル放送受信用ソフトウェアを実行することにより実現されるものであり、
前記デジタル放送用ソフトウェアが前記情報処理装置から削除された場合に、前記周辺機器識別情報保持手段に記憶された前記周辺機器識別情報を削除する
ことを特徴とする周辺機器。
【請求項２１】
請求項１８または１９に記載の周辺機器であって、
前記情報処理装置の前記出力手段は、デジタル放送受信用ソフトウェアを実行することにより実現されるものであり、
前記デジタル放送用ソフトウェアが前記情報処理装置から削除された場合に、前記情報処理装置識別情報保持手段に記憶された前記情報処理装置識別情報を削除する
ことを特徴とする周辺機器。
【手続補正３】
【補正対象書類名】明細書
【補正対象項目名】００６０
【補正方法】変更
【補正の内容】
【００６０】
上記の図１、図２、図３、図４、図５又は、図６の実施例において、１のＰＣを、一般的なコンピュータ（例えば、パーソナルコンピュータ）として、コンピュータシステムの例で説明したが、家電製品や専用機器のような、専用ソフトウェア及び、専用ハードウェアから構成される機器において、２のＰＣ周辺機器と同様な機能を持つ機器と組み合わせる場合に、本発明の技術を適用しても良い。
前述の実施例は少なくとも下記を開示している。
（１）：
双方向通信インターフェース及び、書き換え可能な情報保持部を持つ汎用ハードウェアと、汎用ハードウェアを制御する汎用ソフトウェアと、専用アプリケーションソフトウェアからなるコンピュータ機器と、
双方向通信インターフェース及び、書き換え可能な情報保持部を持つ専用ハードウェアと、専用ハードウェアを制御する専用ソフトウェアからなり、前記コンピュータ機器と前記インターフェースを介して接続可能であるコンピュータ周辺機器とよりなるコンピュータシステムにおいて、前記コンピュータ周辺機器は、前記コンピュータからの命令を前記インターフェースを介して受け取り、前記命令に従い動作し、
前記コンピュータ機器は、前記コンピュータ周辺機器から、動作結果及び、要求された情報を前記インターフェースを介して取得する機能を有し、
前記コンピュータ機器は、前記コンピュータ周辺機器の機器固有情報を第１の情報保持部に保持し、
前記コンピュータ周辺機器は、前記コンピュータ機器の機器固有情報を第２の情報保持部に保持し、
前記コンピュータ機器は、前記専用アプリケーションソフトウェアが実行されることにより、前記インターフェースを介して、前記コンピュータ周辺機器の機器固有情報を取得し、前記第１の情報保持部に保持している情報との合致を前記専用アプリケーションソフトウェアにより行い、
前記コンピュータ周辺機器は、前記インターフェースを介して、前記コンピュータ機器の機器固有情報を取得し、前記第２の情報保持部に保持している情報との合致を前記専用ソフトウェアにより行い、
前記コンピュータ機器及び前記コンピュータ周辺機器における保持している情報との合致が正しく行えた場合には、継続して前記アプリケーションソフトウェアが実行され、
かつ、前記第１の情報保持部に保持されている前記コンピュータ周辺機器の機器固有情報、または前記第２の情報保持部に保持されている前記コンピュータ機器の機器固有情報が、繰り返し書き換え可能であることを特徴とするコンピュータシステム。
（２）：
（１）に記載のコンピュータシステムにおいて、
前記コンピュータ機器は、前記専用アプリケーションソフトウェアを削除する手段を持ち、
前記専用アプリケーションソフトウェアを削除操作した際には、前記第１の情報保持部に保持している前記コンピュータ周辺機器の機器固有情報を削除すると共に、前記インターフェースを介して、前記コンピュータ周辺機器が前記第２の情報保持部に保持している前記コンピュータ機器の機器固有情報を削除させることを特徴とするコンピュータシステム。
（３）：
（１）、又は（２）に記載のコンピュータシステムにおいて、
前記コンピュータ機器は、前記コンピュータ周辺機器において受信された情報を前記インターフェースを介して受け取り記録する記録機能を有し、
前記コンピュータ機器は、第１の記録タイトル情報保持部を備え、
前記コンピュータ周辺機器は、第２の記録タイトル情報保持部を備え、
前記コンピュータ機器は、記録に際して、記録タイトル情報を前記第１の記録タイトル情報保持部に保持すると共に、前記インターフェースを介して、前記記録タイトル情報を、前記コンピュータ周辺機器の前記第２の記録タイトル情報保持部に保持させ、
前記専用アプリケーションソフトウェアを削除操作した際には、前記コンピュータ機器の前記第１の記録タイトル情報保持部から前記記録タイトル情報を削除すると共に、前記インターフェースを介して、前記コンピュータ周辺機器の前記第２の記録タイトル情報保持部から前記記録タイトル情報を削除させることを特徴とするコンピュータシステム。
（４）：
（１）、又は（２）に記載のコンピュータシステムにおいて、
前記コンピュータ周辺機器は、前記第２の情報保持部に保持される前記コンピュータ機器の機器固有情報の、繰り返し書き換え可能な回数に上限値を持ち、前記コンピュータ機器の前記専用アプリケーションソフトウェア又は、別のアプリケーションソフトウェアが、前記インターフェースを介して、前記コンピュータ周辺機器の前記第２の情報保持部の情報を取得する事で、前記コンピュータ周辺機器の前記第２の情報保持部のコンピュータ機器固有情報の書き換え回数又は、残りの書き換え回数を表示する手段を有することを特徴とするコンピュータシステム。
（５）：
（２）に記載のコンピュータシステムにおいて、
前記専用アプリケーションソフトウェアを削除操作した際には、前記コンピュータ機器が前記第１の情報保持部に保持している前記コンピュータ周辺機器の機器固有情報または前記コンピュータ周辺機器が前記第２の情報保持部に保持している前記コンピュータ機器の機器固有情報を削除するか否かを選択できることことを特徴とするコンピュータシステム。
（６）：
（２）に記載のコンピュータシステムにおいて、
前記専用アプリケーションソフトウェアを削除操作した後に、前記専用アプリケーションソフトウェアを新たに別のコンピュータ機器に組み込む時、又は、前記専用アプリケーションソフトウェアを最初に実行した時に、前記コンピュータ機器が、前記インターフェースを介して、前記コンピュータ周辺機器の機器固有情報を取得し、前記コンピュータ機器の前記第１の情報保持部に保持すると共に、前記コンピュータ周辺機器は、前記インターフェースを介して前記コンピュータ機器の機器固有情報を取得し、前記コンピュータ周辺機器の前記第２の情報保持部に保持することを特徴とするコンピュータシステム。
（７）：
双方向通信インターフェース及び、書き換え可能な情報保持部を持つ汎用ハードウェアと、汎用ハードウェアを制御する汎用ソフトウェアからなるコンピュータ機器に実装するための専用アプリケーションソフトウェアと、
双方向通信インターフェース及び、書き換え可能な情報保持部を持つ専用ハードウェアと、専用ハードウェアを制御する専用ソフトウェアからなり、前記コンピュータ機器と前記インターフェースを介して接続可能であるコンピュータ周辺機器とよりなるコンピュータシステムにおいて、
前記コンピュータ周辺機器は、前記コンピュータに実装された前記専用アプリケーションソフトウェアからの命令を前記インターフェースを介して受け取り、前記命令に従い動作し、
前記専用アプリケーションソフトウェアは、前記コンピュータ周辺機器から、動作結果及び、要求された情報を前記インターフェースを介して、取得する機能を有し、
前記専用アプリケーションソフトウェアは、前記コンピュータ周辺機器の機器固有情報を前記コンピュータ機器上の第１の前記情報保持部に保持し、
前記コンピュータ周辺機は、前記コンピュータ機器の機器固有情報を前記コンピュータ周辺機器の前記第２の情報保持部に保持し、
前記専用アプリケーションソフトウェアは、前記インターフェースを介して、前記コンピュータ周辺機器の機器固有情報を取得し、前記コンピュータ機器の前記第１の情報保持部に保持している情報との合致を行い、
前記コンピュータ周辺機器は、前記インターフェースを介して、前記コンピュータ機器の機器固有情報を取得し、前記第２の情報保持部に保持している情報との合致を前記専用ソフトウェアにより行い、
前記専用アプリケーションソフトウェア及び、前記コンピュータ周辺機器における保持している情報との合致が正しく行えた場合には、継続して前記専用アプリケーションソフトウェアが実行され、
かつ前記第１の情報保持部に保持されている前記コンピュータ周辺機器の機器固有情報、または前記第２の情報保持部に保持されている前記コンピュータ機器の機器固有情報が、繰り返し書き換え可能であることを特徴とするコンピュータシステム。
（８）：
（７）に記載のコンピュータシステムにおいて、
前記コンピュータ機器は、前記専用アプリケーションソフトウェアを削除する手段を持ち、
前記専用アプリケーションソフトウェアを削除操作した際には、前記第１の情報保持部に保持している前記コンピュータ周辺機器の機器固有情報を削除すると共に、前記インターフェースを介して、前記コンピュータ周辺機器が前記第２の情報保持部に保持している前記コンピュータ機器の機器固有情報を削除させることを特徴とするコンピュータシステム。
（９）：
（７）、又は（８）に記載のコンピュータシステムにおいて、
前記専用アプリケーションソフトウェアは、前記コンピュータ周辺機器において受信された情報を前記インターフェースを介して受け取り記録する記録機能を有し、
前記コンピュータ機器は、第１の記録タイトル情報保持部を備え、
前記コンピュータ周辺機器は、第２の記録タイトル情報保持部を備え、
前記専用アプリケーションソフトウェアは、記録に際して、記録タイトル情報を前記第１の記録タイトル情報保持部に保持すると共に、前記インターフェースを介して、前記記録タイトル情報を、前記コンピュータ周辺機器の前記第２の記録タイトル情報保持部に保持させ、
前記専用アプリケーションソフトウェアを削除操作した際には、前記コンピュータ機器の前記第１の記録タイトル情報保持部から前記記録タイトル情報を削除すると共に、前記インターフェースを介して、前記コンピュータ周辺機器の前記第２の記録タイトル情報保持部から前記記録タイトル情報を削除させる事を特徴とするコンピュータシステム。
（１０）：
（７）、又は（８）に記載のコンピュータシステムにおいて、
前記コンピュータ周辺機器は、前記第２の情報保持部に保持される前記コンピュータ機器の機器固有情報の、繰り返し書き換え可能な回数に上限値を持ち、前記専用アプリケーション又は、別のアプリケーションソフトウェアが、前記インターフェースを介して、前記コンピュータ周辺機器の前記第２の情報保持部の情報を取得する事で、前記コンピュータ周辺機器の前記第２の情報保持部のコンピュータ機器固有情報の書き換え回数又は、残りの書き換え回数を表示する手段を有することを特徴とするコンピュータシステム。
（１１）：
（８）に記載のコンピュータシステムにおいて、
前記専用アプリケーションソフトウェアを削除操作した際に、前記コンピュータ機器が前記第１の情報保持部に保持している前記コンピュータ周辺機器の機器固有情報または、前記コンピュータ周辺機器が前記第２の情報保持部に保持している前記コンピュータ機器の機器固有情報を削除するか否かを選択できることを特徴とするコンピュータシステム。
（１２）：
（８）に記載のコンピュータシステムにおいて、
前記専用アプリケーションソフトウェアを削除操作した後に、前記専用アプリケーションソフトウェアを新たに別のコンピュータ機器に組み込む時、又は、前記コンピュータ機器に組み込まれた前記専用アプリケーションソフトウェアを最初に実行した時に、前記専用アプリケーションソフトウェアが、前記インターフェースを介して、前記コンピュータ周辺機器の機器固有情報を取得し、前記コンピュータ機器の前記第１の情報保持部に保持すると共に、前記コンピュータ周辺機器は、前記インターフェースを介して、前記コンピュータ機器の機器固有情報を取得し、前記コンピュータ周辺機器の前記第２の情報保持部に保持することを特徴とするコンピュータシステム。
（１３）：
（１）または（３）に記載のコンピュータシステムにおいて、
前記コンピュータ周辺機器は、デジタル放送信号の受信機能を有し、
前記コンピュータ機器は、前記コンピュータ周辺機器より前記インターフェースを介して前記デジタル放送信号を受け取り、表示または記録を行なうことを特徴とするコンピュータシステム
（１４）：
（１３）に記載のコンピュータシステムにおいて、
前記デジタル放送信号の受信機能は、スクランブルされて伝送されたデジタル放送信号を受信する機能を有することを特徴とするコンピュータシステム。
（１５）：
（７）または（９）に記載のコンピュータシステムにおいて、
前記コンピュータ周辺機器は、デジタル放送信号の受信機能を有し、
前記専用アプリケーションソフトウェアは、前記コンピュータ周辺機器より前記インターフェースを介して前記デジタル放送信号を受け取り、前記コンピュータ機器で表示または記録を行なう機能を有することを特徴とするコンピュータシステム。
（１６）：
（１５）に記載のコンピュータシステムにおいて、
前記デジタル放送信号の受信機能は、スクランブルされて伝送されたデジタル放送信号を受信する機能を有することを特徴とするコンピュータシステム。